(57)【要約】      （修正有）【課題】携行が可能で、ペットボトルや水筒等の容器に汲んだ水道水等の対象水の浄化をすることができる簡易浄水器を提供する。【解決手段】筒体の内部略中央に浄化層３を固定し、前記した筒体の浄化層３を挟む開口には水収納用容器の口部あるいは飲み口１２部材を着脱自在に装着可能としてあることとし、前記した浄化層３は活性炭粒子と抗菌セラミック粒子とより成り、パッキンで気密に保持されていることとし、また、前記した容器の口部あるいは飲み口１２部材の着脱として、筒体の内面に雌ねじ５、６が形成されていることとし、前記した筒体の一方側の開口外周に蛇腹構成として伸縮自在の漏斗部材７を備えていることとし、コップを兼用するケース内に収納されることとし、前記した浄化層３の少なくとも一次側に永久磁石によるゲートを形成してあることとする。【選択図】図１
0003183081.tif 000002
【実用新案登録請求の範囲】
【請求項１】
筒体の内部略中央に浄化層を固定し、前記した筒体の浄化層を挟む開口には水収納用容器の口部あるいは飲み口部材を着脱自在に装着可能としてあることを特徴とする簡易浄水器。
【請求項２】
前記した浄化層は活性炭粒子と抗菌セラミック粒子とより成り、パッキンで気密に保持されていることを特徴とする請求項１に記載の簡易浄水器。
【請求項３】
前記した容器の口部あるいは飲み口部材の着脱として、筒体の内面に雌ねじが形成されていることを特徴とする請求項１または２に記載の簡易浄水器。
【請求項４】
前記した筒体の一方側の開口外周に蛇腹構成として伸縮自在の漏斗部材を備えていることを特徴とする請求項１から３のうち１項に記載の簡易浄水器。
【請求項５】
コップを兼用するケース内に収納されることを特徴とする請求項１から４のうち１項に記載の簡易浄水器。
【請求項６】
前記した浄化層の少なくとも一次側に永久磁石によるゲートを形成してあることを特徴とする請求項１から５のうち１項に記載の簡易浄水器。
【考案の詳細な説明】
【技術分野】
【０００１】
本考案は簡易浄水器に関し、給水栓より得た水道水をはじめ、雨水、井戸水、河川の水でも容易に飲料として供することができ、かつ、携行に適し、対象となる水を収納した容器から浄化された水を飲むことができ、また、容器に浄化した水を収納する作業も行うことができる簡易浄水器に関する。
【背景技術】
【０００２】
一般的に、浄水器は水道水を給水栓より後の段階で浄化するための機器であり、有機物、次亜塩素酸及びこれに由来する化合物、カルシウムイオン、マグネシウムイオン、金属イオン等の溶解物質、微生物や微粒子等を減少させるために用いられる。
【０００３】
我が国の水道法の定めによって水道水には次亜塩素酸が給水栓の時点で残留するように添加されている。この次亜塩素酸は人体に入ると胃酸と同一の成分になるため実害はないが、味覚や臭いの点で非常に違和感が生じるものである。そこで、主としてこの次亜塩素酸を除去するため、給水栓に浄水器が付設されることが多い。
【０００４】
しかしながら、従来知られている浄水器は固定式のものが多く、携行には適しないものであり、また、ペットボトルや水筒等の容器に汲んだ水道水等の対象水を浄化することはできなかった。
【先行技術文献】
【特許文献】
【０００５】
出願人は、本願考案に関し、先行する技術文献を調査したが、格別に本願と関連し、類似していると思われる技術が掲載された文献を発見することができなかった。
【考案の概要】
【考案が解決しようとする課題】
【０００６】
本考案が解決しようとする問題点は、従来、携行が可能で、ペットボトルや水筒等の容器に汲んだ水道水等の対象水の浄化をすることができる簡易浄水器は存在していなかったという点である。
【課題を解決するための手段】
【０００７】
上記した問題点を解決するために、本考案に係る簡易浄水器は筒体の内部略中央に浄化層を固定し、前記した筒体の浄化層を挟む開口には水収納用容器の口部あるいは飲み口部材を着脱自在に装着可能としてあることを特徴とし、前記した浄化層は活性炭粒子と抗菌セラミック粒子とより成り、パッキンで気密に保持されていることを特徴としている。
【０００８】
また、本考案に係る簡易浄水器は前記した容器の口部あるいは飲み口部材の着脱として、筒体の内面に雌ねじが形成されていることを特徴とし、前記した筒体の一方側の開口外周に蛇腹構成として伸縮自在の漏斗部材を備えていることを特徴としている。
【０００９】
さらに、本考案に係る簡易浄水器はコップを兼用するケース内に収納されることを特徴とし、前記した浄化層の少なくとも一次側に永久磁石によるゲートを形成してあることを特徴としている。
【考案の効果】
【００１０】
本考案に係る簡易浄水器は上記のように構成されている。そのため、バッグやポケットに入れて容易に携行でき、水の収納容器や飲み口も簡単に装着することができ、時や場所を選ばずに浄水を飲むことができ、また、水道水をはじめ対象となる水を浄化し、容器に収納することができる。
【図面の簡単な説明】
【００１１】
【図１】使用状態を示す図である。
【図２】ケースへの収納状態を示す図である。
【図３】漏斗部材を拡開させた状態を示す図である。
【図４】飲み口を示す図である。
【図５】給水栓からの注水状態を示す図である。
【考案を実施するための形態】
【００１２】
図面として示し、実施例で説明したように構成したことで実現した。
【実施例１】
【００１３】
次に、本考案の好ましい実施の一例を図面を参照して説明する。図中１は本考案を実施した簡易浄水器本体を示している。この簡易浄水器本体１は円筒状をしたプラスチック製のケーシング２を有している。このケーシング２は外径で２．５〜３．０ｃｍ、高さが５〜６ｃｍ程度のサイズで、軸芯方向に沿った中程には浄化層３の設置部４が形成され、そこに浄化層３がセットされている。
【００１４】
この浄化層３は活性炭粒子に抗菌セラミック粒が混在された構成となっている。活性炭は次亜塩素酸と反応して僅かずつ失われながら、次亜塩素酸の分解触媒として作用する。また、表面の無数の細孔が水中のトリハロメタンやジオスミン等の不純物を吸着していく。従って、活性炭の寿命は活性炭が不純物を吸着し終わった時点となり、当初より減量するので振る事での音で確認できる。さらに、長時間の使用では細孔の中でも微生物が増殖するので、殺菌のため銀を蒸着または噴霧しておく。また、この浄化層３は粒子のこぼれを防止するため、通水性のあるフィルター材で全体を被包しておくことが望ましい。
【００１５】
前記したケーシング２の浄化層３を挟んだ両開口の内周面には各々雌ねじ５、６がねじ立形成されている。また、一方の雌ねじ５が形成されたパートの外周面にはシリコンで蛇腹形成され、伸縮自在とされた漏斗部材７が一体的に具備されている。
【００１６】
また、前記した浄化層３はその一次側、二次側の表面外周にリングシリコン１１、１１が施され、気密性を保持している。さらに、少なくとも一次側となるリングシリコン１１に、永久磁石によるゲートを重ねて設けることもでき、この永久磁石を設けることで、磁束密度に流水が激突、分細し、磁気エネルギーの作用で残留塩素濃度を低下させ、水質改善を図ることができる。
【００１７】
本実施例に係る簡易浄水器本体１は上記のように構成され、不使用時には、蓋８及び取手９を有するプラスチック製のケース１０に収納され、バッグ等に入れて携行することができる。
【００１８】
次いで、この簡易浄水器本体１の使用方法について説明する。給水栓からの水道水や雨水、井戸水等を入れたペットボトルＰの口部の外周の雄ねじを一次側の雌ねじ５に螺嫡子、倒立状態とすると、ペットボトルＰ内の水は浄化層３を通過して、二次側の開口へと流れる。ここで、二次側となる雌ねじ６に飲み口１２の外周の雄ねじを螺着しておくと、その飲み口１２から直接水を飲むことができる。この飲み口１２の代わりに前記したケース１０を使用することも可能であり、また、このケース１０に汲んだ水を漏斗部材７を拡開させて注ぎ込むことで飲み口１２による飲水も可能となる。
【００１９】
また、飲み口１２にはフレキシブルなバンドで止水栓１４が設けられており、不使用時には、この止水栓１４で飲み口１２からの出水を止めておくことができる。
【００２０】
さらに、図５として示すように、漏斗部材７を拡開させた状態とし、ケーシング２の二次側にペットボトルＰの口部を螺着させ、給水栓Ｆから注水すると、ペットボトルＰに浄水を収納することも可能となる。この使用方法は給水栓Ｆに代えて、雨水や井戸水を汲み入れることも可能となる。
【産業上の利用可能性】
【００２１】
本実施例に係る簡易浄水器は上記のように構成されている。実施例では、ケーシング２として円筒状のものを示しているが、これにこだわらず、角筒や六角筒のものや、その他デザインを施したものでもよい。また、水の収納容器としてペットボトルＰを示しているが、これもペットボトルＰに限定されるものではなく、水筒や魔法瓶であってもよいことは勿論であり、特にケーシング２の雌ねじに螺合せずとも、嵌入あるいは被冠して使用することも可能である。
【符号の説明】
【００２２】
１    簡易浄水器本体
２    ケーシング
３    浄化層
４    設置部
５    雌ねじ
６    雌ねじ
７    漏斗部材
８    蓋
９    取手
１０  ケース
１１  リングシリコン
１２  飲み口
１３  バンド
１４  止水栓
Ｐ    ペットボトル
Ｆ    給水栓
【図１】
0003183081.tif 000003
【図２】
0003183081.tif 000004
【図３】
0003183081.tif 000005
【図４】
0003183081.tif 000006
【図５】
0003183081.tif 000007